(57)【要約】【課題】本発明の電子機器は、液晶表示パネルとタブレットをケースに実装する際の組立て性を高めることにある。【解決手段】ケース１１と、このケースの内部に設けられる表示装置である液晶表示パネル１２と、この表示表示パネル１２の前面側に重ねてケース１１の内部に設けられる入力装置であるタブレット１３と、液晶表示パネル１２とタブレット１３とを一体に保持して組立てユニット２１を構成する保持部材１４とを具備し、入力装置用の回路基板１５が液晶表示パネル１２の後面に重ねて配置されてこの後面に取付けられ、この回路基板１５はケーブルを介してタブレット１３に接続されている【選択図】　　図７
2004012617.tif 000002
【特許請求の範囲】
【請求項１】
ケースと、このケースの内部に設けられる表示装置と、この表示装置の前面側に重ねて前記ケースの内部に設けられる入力装置と、前記表示装置と前記入力装置とを一体に保持する保持部材とを具備することを特徴とする電子機器。
【請求項２】
前記入力装置用の回路基板が前記表示装置の後面に重ねて配置されてこの後面に取付けられ、この回路基板はケーブルを介して前記入力装置に接続されていることを特徴とする請求項１に記載の電子機器。
【請求項３】
前記保持部材は前記表示装置と前記入力装置の夫々の周縁部を囲んで保持するものであることを特徴とする請求項１に記載の電子機器。
【請求項４】
前記ケースと前記表示装置には夫々固定部が設けられ、前記表示装置の固定部は前記ケースの固定部に固定されていることを特徴する請求項１に記載の電子機器。
【発明の詳細な説明】
【０００１】
【発明の属する技術分野】
本発明はケースの内部に表示装置と入力装置とを重ねて設けた電子機器に関する。
【０００２】
【従来の技術】
電子機器、例えばパーソナルコンピュータ（以下パソコンと称する。）においては、入力装置として透明板に透明電極を形成した板状の入力装置（以下タブレットと称する。）を使用したものがある。このタブレットはタッチペンで透明電極を接触して入力操作を行うもので、パソコンに設けられた液晶表示パネルと組合せて設けられている。すなわち、タブレットは液晶表示パネルを収納するケースに液晶表示パネルの前側に重ねて配置され、操作者が液晶表示パネルの表示を見ながらタッチペンをタブレットの表面に押圧、接触するようになっている。
【０００３】
従来、ケースに液晶表示パネルとタブレットを設けるためには、液晶表示パネルとタブレットは夫々独立した状態でスペ−サを介して重ねて配置する構成が採用されている。スペ−サは、タッチペンでタブレットを押圧した時にタブレットが液晶表示パネルへ向けてたわむが、このたわんだタブレットが液晶表示パネルに接触することを回避するために液晶表示パネルとタブレットとの間の間隔を確保するものである。
【０００４】
【発明が解決しようとする課題】
このような液晶表示パネルとタブレットをケースに設ける従来の構成は次に述べる問題がある。
【０００５】
液晶表示パネルとタブレットは夫々独立して重ねた状態であるのでケースに実装する場合に、液晶表示パネルとタブレットを順次個別にケースに組込む作業を行う必要があり、組立て性が悪い。
【０００６】
タブレットはこのタブレットを制御する制御回路を搭載した回路基板に接続するが、この回路基板を液晶表示パネルの表示とタブレットの入力操作を阻害しないように液晶表示パネルの後側（内側）、すなわち液晶表示パネルとケースの底面壁との間に配置することがある。この構成では回路基板とタブレットとをケーブルで接続するために、タブレットを液晶表示パネルに重ねた状態でタブレットが上側、液晶表示パネルが下側となるように裏返す必要があり、その後回路基板、液晶表示パネルおよびタブレットの順で個別にケースに組込むので、さらに組立て性が悪くなる。
【０００７】
本発明は、液晶表示パネルとタブレットをケースに実装する際の組立て性を高めた電子機器を提供することを目的とする。
【０００８】
【課題を解決するための手段】
請求項１の発明の電子機器は、ケースと、このケースの内部に設けられる表示装置と、この表示装置の前側に重ねて前記ケースの内部に設けられる入力装置と、前記表示装置と前記入力装置とを一体に保持する保持部材とを具備することを特徴とする。
【０００９】
【発明の実施の形態】
本発明の一実施の形態について図１ないし図６を参照して説明する。
【００１０】
この実施の形態は本発明をパソコンにおける表示ユニットに適用したものである。図１はパソコンの外観を示す斜視図である。図１において１はパソコン本体で、このパソコン本体１は入力用のキーボード２が設けられ、内部にはハードディスクなどの必要な構成部品が搭載されている。３は本発明の対象である表示ユニットで、この表示ユニット３はパソコン本体１において開閉可能に設けられている。
【００１１】
この表示ユニット３について図２ないし図５を参照して説明する。図２は表示ユニットを示す平面図、図３は液晶装置と入力装置の組立てユニットの前面を示す平面図、図４は液晶装置と入力装置の組立てユニットの後面を示す平面図、図５は前記組立てユニットをケースに収納した状態を示す図３のＺ−Ｚ線に沿って示す断面図、図６は前記組立てユニットの断面図、図７は前記組立てユニットを模式的に示す断面図である。
【００１２】
図中１１はケース、１２は表示装置の一例である液晶表示パネル、１３は入力装置の一例である板状の入力装置（以下、タブレットと称する。）、１４は保持部材である。ケース１１は平面四角形をなすパネル形のもので、一側面が開放されている。すなわち、ケース１１は図５および図７にも示すように平面四角形の底面壁１１ａと、この底面壁１１ａの周縁部で立ち上がる周縁壁１１ｂを有している。図２に示すようにケース１１における長縁部には長さ方向に間隔を存して一対のヒンジ部１１ｃが設けられている。
【００１３】
ケース１１は、図２に示すように開放部が前側に、ヒンジ部１１ｃが下側に位置するように向きを設定して配置され、且つヒンジ部１１ｃをパソコン本体１の後縁部に枢着して設けられている。このため、ケース１１は、パソコン本体１の後縁部を中心としてパソコン本体１の上面部（キーボード２）を覆う水平な位置と、この上面部を開放する起立した位置との間を回動するように設けられる。
【００１４】
なお、図２において５はタッチペン６を収納する収納部である。
【００１５】
液晶表示パネル１２とタブレット１３は保持部材１４により一体に保持されて組み合わされユニットを構成している。液晶表示パネル１２はケース１１より一回り小さい四角形をなす一対の電極基板の間に液晶を封入したもので、一方の側面が外部から表示を見ることが可能な前面、他方の面が後面となっている。
【００１６】
タブレット１３はケース１１より一回り小さい四角形をなす透明な基板に透明な多数の電極を並べて形成したもので、一方の側面がタッチペンを押圧、接触して入力を行う前面となっている。タブレット１３は前面が液晶表示パネル１２の前面と同じ向きとなるようにして液晶表示パネル１２の前面側に重ねて平行に配置される。
【００１７】
保持部材１４は液晶表示パネル１２とタブレット１３を一体に組合せて支持するもので合成樹脂により形成されている。保持部材１４は液晶表示パネル１２とタブレット１３の周囲全体を外側から囲む四角形のフレームをなすものである。保持部材１４は液晶表示パネル１２の周縁部の全体を囲んで保持するフレーム形をなす第１の保持部１４ａと、タブレット１３の周縁部の全体を囲んで保持するフレーム形をなす第２の保持部１４ｂとを有し、これら第１の保持部１４ａと第２の保持部１４ｂは液晶表示パネル１２とタブレット１３の重ね方向に沿って重ねて形成されている。
【００１８】
第１の保持部１４ａは液晶表示パネル１２の周縁部を両方の側面側から挟んで保持するとともに周縁部近傍の両方の側面を覆う部分を有している。なお、第１の保持部１４ａは液晶表示パネル１２の後面に対しては液晶表示パネル１２の周方向の主要部に当接する。第２の保持部１４ｂはタブレット１３の周縁部を前面および後面の側面側から挟んで保持するとともに周縁部近傍の両方の側面を覆う部分を有している。第１の保持部１４ａと第２の保持部１４ｂとはフレーム形をなす共通の隔壁１４ｃで仕切られている。
【００１９】
この隔壁１４ｃは、タッチペンでタブレット１３を押圧した時に液晶表示パネルへ向けたタブレット１３のたわみ分を逃して液晶表示パネル１２に接触することを回避するために液晶表示パネル１２とタブレット１３との間の間隔を確保するのスペーサの機能を有している。
【００２０】
保持部材１４は第１の保持部１４ａで液晶表示パネル１２の周縁部を保持し、第２の第２の保持部１４ｂはタブレット１３の周縁部を保持して、液晶表示パネル１２とタブレット１３を重ねて配置した状態で保持している。これにより液晶表示パネル１２とタブレット１３と保持部材１４は一体に組立てられてユニットを構成している。
【００２１】
保持部材１４は液晶表示パネル１２とタブレット１３の夫々の周縁部を囲んで保持することにより、これらの部品をその機能を損なうことなく確実に保持できる。
【００２２】
液晶表示パネルの１２の後面には、タブレット制御用の回路基板１５が取付けられている。この回路基板１５はタブレット１３を制御する制御回路を搭載したもので、ねじを用いて液晶表示パネルの１２に取付けられている。回路基板１５はケーブル１６によりタブレット１３に接続されている。ケーブル１６はフレキシブルケーブルが用いられ、両方の端部にはコネクタ１７、１８が取付けられている。
【００２３】
一方のコネクタ１７はタブレット１３の周縁部における適宜な箇所、例えば図３において左縁部の上部箇所に設けられたコネクタ（図示せず）に接続されている。保持部材１４における第２の保持部１４ｂの壁に内部と外部との間を貫通する貫通部が形成され、この貫通部にタブレット側のコネクタが挿通されている。ケーブル１６は液晶表示パネル１２の後面に重ねて配置され、他方のコネクタ１８は回路基板１５に設けられたコネクタ（図示せず）に接続されている。
【００２４】
また、液晶表示パネル１２の後面には液晶表示パネル１２の表示駆動を行う表示駆動回路を搭載した回路基板１９が設けられている。
【００２５】
このようにして液晶表示パネル１２とタブレット１３を保持部材１４により重ねて配置して一体に組立てた組立てユニット２１が構成される。この組立てユニット２１は図７の模式図に示すようにケース１１の内部に収納される。ここで、組立てユニット２１は液晶表示パネル１２がケース１１の底面壁１１ａに面し、タブレット１３がケース１１の開放部に面するように向きを設定し、底面壁１１ａと平行に積層するようにケース１１の内部に配置される。液晶表示パネル１２の後面に設けられた各回路基板１５，１９は液晶表示パネル１２とケース１１の底面壁１１ａとの間に位置する。
【００２６】
組立てユニット２１は例えば図５および図６に示す構成によりケース１１に取付けられている。すなわち、図３および図４に示すように液晶表示パネル１２における左縁部および右縁部の上端と下端には夫々取付け片２２が突設されている。この取付け片２２は液晶表示パネル１２の前面および後面と平行に液晶表示パネル１２の側方へ突出するもので、図５および図６にも示す液晶表示パネル１２の前後方向（厚さ方向）に貫通する孔２３が形成されている。この孔２３は後述する突起２５より大きい直径を有するもので、前端開口には内側に張り出す鍔２４が形成されている。
【００２７】
図５に示すように、ケース１１の底面壁１１の内面には、組立てユニット２１がケース１１の内部に配置された状態において液晶表示パネル１２の各取付け片２２の孔２３に夫々対向する各位置に突起２５が前側へ向けて突出形成されている。この突起２５には前端面からその前後方向（軸方向）に沿ってねじ孔２６が形成されている。この突起２５は各取付け片２２の孔２３にその後端開口から挿入され、突起２５の前端面が鍔２４に当接している。
【００２８】
図１および図２に示すようにケース１１の前面開放部の周縁部には額縁形をなすマスク２７が配置されている。このマスク２７はケース１１の周縁壁１１ｂと組立てユニット２１の周縁との間に形成される額縁形の空間をケース１１の前側から覆うものである。
【００２９】
マスク２７において、液晶表示パネル１２の各取付け片２２の孔２３に夫々対向する各位置には、その内外方向（厚さ方向）に沿って伸びる筒部２８が形成されており、この筒部２８の後端は取付け片２２の鍔２４に当接している。すなわち、ケース１１の突起２５とマスク２７の筒部２８とで取付け片２２の鍔２４をその後側と前側とで挟持する。
【００３０】
ねじ２９がマスク２７の前側からマスク２７の筒部２８、取付け片２２の鍔２４で囲まれた孔部および取付け片２２の孔２３を挿通して、ケース１１の突起２５に形成されたねじ孔２６に螺挿されている。このねじ２９の頭部２９ａは皿形をなして、マスク２の前面（外面）に形成された凹部３０に嵌っている。これによりマスク２７とケース１１が一体に固定され、取付け片２２がケース１１とマスク２７に挟持固定されて、この結果組立てユニット２１がケース１１に固定される。
【００３１】
このようにして簡素な取付け構造で組立てユニット２１をケース１１に着脱可能に取付けることができる。
【００３２】
このように構成された表示ユニット３では、液晶表示パネル１２とタブレット１３は重ねた状態で保持部材１４により一体に組合せて組立てユニット２１としているので、ケース１１に実装する場合に、液晶表示パネル１２とタブレット１３を１度にまとめてケース１１に組込むことができて組立て性が良好である。
【００３３】
そして、タブレット１３用の回路基板１５を液晶表示パネル１２の後面に取付けてタブレット１３に接続した状態で組立てユニット２１をケース１１に組込むと、組立てユニット２１をケース１１に組込む時に、同時に回路基板１５をタブレット１３に接続した状態で液晶表示パネル１２とケース１１との間に組込むことができる。従って、タブレット１３用の回路基板１５を液晶表示パネル１２とケース１１との間に設ける構成を採用した場合には、回路基板１５を実装する際の作業が大変容易になり組立て性が向上する。
【００３４】
なお、本発明は前述した実施の形態に限定されず、種々変形して実施することができる。本発明はノート型パソコンに限定されず、表示ユニットに入力装置を重ねて設けた電子機器に広く適用することができる。また、タブレット用の回路基板は液晶表示パネル１２の後面部に取付けることに限定されず、ケース１１の底面壁１１ａに取付けるようにしてもよい。この場合も、液晶表示パネルとタブレットを一体にまとめてユニットを構成しているので、液晶表示パネルとタブレットをケースに対して出し入れする作業を容易に行うことができる。
【００３５】
【発明の効果】
本発明の電子機器によれば、液晶表示パネルとタブレットをユニットにまとめてケースに実装する際の組立て性を高めることができる。
【図面の簡単な説明】
【図１】本発明の一実施の形態におけるパソコンの外観を示す斜視図。
【図２】同実施の形態における表示ユニットを示す平面図。
【図３】同実施の形態における液晶装置と入力装置のユニットの前面を示す図。
【図４】同実施の形態における液晶装置と入力装置のユニットの後面を示す図。
【図５】同実施の形態における液晶装置と入力装置のユニットをケースに収納した状態の縁部を示す断面図。
【図６】同実施の形態における液晶装置と入力装置のユニットの縁部を示す断面図。
【図７】同実施の形態における液晶装置と入力装置のユニットの全体を模式的に示す断面図。
【符号の説明】
１…パソコン本体、
３…表示ユニット
１１…ケース
１２…液晶表示パネル
１３…タブレット
１４…保持部材
１５…回路基板
１６…ケーブル
１９…回路基板
２２…取付け片
２９…ねじ
【図１】
2004012617.tif 000003
【図２】
2004012617.tif 000004
【図３】
2004012617.tif 000005
【図４】
2004012617.tif 000006
【図５】
2004012617.tif 000007
【図６】
2004012617.tif 000008
【図７】
2004012617.tif 000009